(57)【特許請求の範囲】
【請求項１】
車体フロア上面部において車幅方向にずれて設定された第１取付け位置と第２取付け位置とに、ケーブルを操作するレバーとしてのパーキングブレーキレバーを取付け可能にするものであって、
前記車体フロア上面部には、前記第１取付け位置と第２取付け位置と間の車幅方向中間部から後方に離間した位置にケーブル挿通孔が設けられ、
前記ケーブルをガイドするガイドパイプの後部が、前記パーキングブレーキレバーの取付け時において、前記ケーブル挿通孔近傍に設けた挿通ブラケットにより軸中心で回動可能に支持され、
前記ガイドパイプは、その前部が軸中心の回動により前記第１取付け位置、第２取付け位置のいずれかに対応するガイド位置に配設可能となるように屈曲形成され、
前記パーキングブレーキレバー自体またはその近傍に、前記ガイドパイプの前部を支持する支持部が設けられた
自動車のレバー取付け構造。
【請求項２】
前記車体フロア上面部の略中央部にセンターコンソールが設けられ、
該センターコンソールの上面部には、前記パーキングブレーキレバーの後部側方近傍、かつ前記ケーブル挿通孔の前方に機能スペースが設けられると共に、
該機能スペースを避けるように前記ガイドパイプが屈曲形成された
請求項１記載の自動車のレバー取付け構造。
【請求項３】
前記挿通ブラケットは、前記ガイドパイプの後部を常時回動可能に支持するものであり、
前記支持部は、前記ガイドパイプの前部を、前後、上下、左右の少なくとも一方のズレを許容すべく嵌合支持する嵌合支持部である
請求項１または２記載の自動車のレバー取付け構造。
【請求項４】
前記支持部は、前記車体フロア上面部から上方に離間して設けられる
請求項１〜３のいずれか一項に記載の自動車のレバー取付け構造。
【請求項５】
車室前面部、車室側面部またはフロア上面部において、隣り合うようにずれて設定された第１取付け位置と第２取付け位置とに、ケーブルを操作するレバーを取付け可能にするものであって、
前記第１取付け位置と第２取付け位置との間の中間部から離間した位置に、ケーブルをガイドするガイドパイプの一端部が、その取付け時において、車体側ブラケットにより軸中心で回動可能に支持され、
前記ガイドパイプは、その他端部が軸中心の回動により前記第１取付け位置、第２取付け位置のいずれかに対応するガイド位置に配設可能となるよう屈曲形成され、
前記レバー自体またはその近傍に、前記ガイドパイプの他端部を支持する支持部が設けられると共に、
該ガイドパイプの近傍に機能スペースが設けられ、
該機能スペースを避けるように前記ガイドパイプが屈曲形成された
自動車のレバー取付け構造。
【発明の詳細な説明】
【技術分野】
【０００１】
この発明は、第１取付け位置と第２取付け位置とにケーブルを操作するレバーを取付け可能にする自動車のレバー取付け構造に関する。
【背景技術】
【０００２】
従来、自動車においては、その様々な仕様に応じて、ケーブルを操作するレバーを、隣り合うようにずれて設定された第１取付け位置と第２取付け位置とに取付け可能にすることが求められる場合がある。
【０００３】
例えば、パーキングブレーキ用のパーキングブレーキレバーの場合、右ハンドル車用、左ハンドル車用といった自動車の仕様に応じて、これを車幅方向にずれて設定された第１取付け位置と第２取付け位置とに取付け可能にすることが求められる。
【０００４】
下記特許文献１では、上述した第１取付け位置、第２取付け位置の中間部後方に配設したケーブル支持パイプをラッパ状に形成することで、右ハンドル車用、左ハンドル車用といった自動車の仕様に応じて、バーキングブレーキレバーを両取付け位置に取付け可能にしたものが開示されている。
【０００５】
しかしながら、この場合、ケーブル支持パイプの開口部がケーブルに対して必然的に大きくなってしまうため、ケーブル支持パイプによるケーブルのガイドが適切に行えないという問題があった。
【０００６】
そこで、前記ケーブルを、下記特許文献２に開示されているような弾性材料からなるガイドパイプ（グロメット）を用いてガイドすることが考えられる。しかしながら、ケーブル（レバー）を操作する際にケーブルに発生する反力がガイドパイプに掛かることになるため、本来であれば、ガイドパイプが相応の強度を有している必要があり、上述した弾性材料のガイドパイプでは、充分な強度を確保できないという問題がある。
【０００７】
そこで、相応の強度を有するガイドパイプを第１取付け位置、第２取付け位置に応じて屈曲形成した一対の部品を予め用意しておくことが考えられる。しかしながら、この場合、第１取付け位置への取付け用、第２取付け位置への取付け用に別途部品が必要となるため、結果として、生産ラインや生産管理工数が増加するという問題がある。
【０００８】
また、この場合、ガイドパイプを車体取付け用のブラケットに溶接固定することが考えられるが、上述のようにガイドパイプに対して反力が掛かった時には、このガイドパイプを適切に支持する必要性からブラケットには、相応の強度が求められることになる。このため、ブラケット（ガイド部材）の重量化及びコスト増大を招く懸念がある。
【０００９】
また、レバーの近傍には、例えば、パーキングブレーキレバーのように、カップホルダや小物入れ等の凹部、及び／または補機を配設するための機能スペースが設けられる場合がある。
【００１０】
下記特許文献１では、上述のようにケーブル支持パイプをラッパ状に形成しているため、機能スペースをレバーの近傍に設ける場合には、ケーブル支持パイプと機能スペースとが干渉する虞があった。
【００１１】
また、下記特許文献２に開示されているような弾性材料からなるガイドパイプ（グロメット）を用いた場合、ケーブルの変位に応じてガイドパイプも連動して変位する虞があることから、下記特許文献１と同様、機能スペースをレバーの近傍に設ける場合には、ガイドパイプと機能スペースとが干渉する虞があった。
【先行技術文献】
【特許文献】
【００１２】
【特許文献１】特許第３６０６０１６号公報
【特許文献２】特許第４４６３６０９号公報
【発明の概要】
【発明が解決しようとする課題】
【００１３】
この発明は、部品の増加を抑制しつつ、パーキングブレーキレバーを左右任意の取付け位置に容易に取付けることができ、さらには、軽量化及び低コスト化を実現することができる自動車のレバー取付け構造を提供することを目的とする。
【００１４】
また、この発明は、部品の増加を抑制しつつ、レバーを隣り合うようにずれて設定された任意の取付け位置に容易に取付けることができ、さらには、軽量化及び低コスト化を実現し、機能スペースとの干渉を回避することができる自動車のレバー取付け構造を提供することを目的とする。
【課題を解決するための手段】
【００１５】
この発明の自動車のレバー取付け構造は、車体フロア上面部において車幅方向にずれて設定された第１取付け位置と第２取付け位置とに、ケーブルを操作するレバーとしてのパーキングブレーキレバーを取付け可能にするものであって、前記車体フロア上面部には、前記第１取付け位置と第２取付け位置と間の車幅方向中間部から後方に離間した位置にケーブル挿通孔が設けられ、前記ケーブルをガイドするガイドパイプの後部が、前記パーキングブレーキレバーの取付け時において、前記ケーブル挿通孔近傍に設けた挿通ブラケットにより軸中心で回動可能に支持され、前記ガイドパイプは、その前部が軸中心の回動により前記第１取付け位置、第２取付け位置のいずれかに対応するガイド位置に配設可能となるように屈曲形成され、前記パーキングブレーキレバー自体またはその近傍に、前記ガイドパイプの前部を支持する支持部が設けられたものである。
【００１６】
なお、機能スペースとは、カップホルダや小物入れ、灰皿等の凹部が形成されたスペース、及び／または各種補機が配設されたスペースを意味し、各種補機は、車載電装機器を操作するための各種コントローラや、携帯機器を接続するための端子、ディスプレイ、スピーカ、照明機器、シガーソケット等を含むものとする。
【００１７】
この構成によれば、部品の増加を抑制しつつ、パーキングブレーキレバーを左右任意の取付け位置に容易に取付けることができる。
【００１８】
そして、パーキングブレーキレバーの近傍に、ガイドパイプの前部を支持する支持部を設けたことにより、ガイドパイプの前部、後部は、それぞれ溶接固定されることなく、支持部、挿通ブラケットに支持されることになる。この場合、パーキングブレーキレバーの操作時にガイドパイプに掛かるケーブルの反力を前後（具体的には、前部の支持部と後部の挿通ブラケット）に分散することができるため、挿通ブラケットを高強度にすることが不要となり、その結果、軽量化及び低コスト化を実現することができる。
【００１９】
この発明の一実施態様においては、前記車体フロア上面部の略中央部にセンターコンソールが設けられ、該センターコンソールの上面部には、前記パーキングブレーキレバーの後部側方近傍、かつ前記ケーブル挿通孔の前方に機能スペースが設けられると共に、該機能スペースを避けるように前記ガイドパイプが屈曲形成されたものである。
【００２０】
この構成によれば、センターコンソールの機能スペースをケーブルと干渉させることなくパーキングブレーキレバーの近傍に設けることができる。
【００２１】
この発明の一実施態様においては、前記挿通ブラケットは、前記ガイドパイプの後部を常時回動可能に支持するものであり、前記支持部は、前記ガイドパイプの前部を、前後、上下、左右の少なくとも一方のズレを許容すべく嵌合支持する嵌合支持部であるものである。
【００２２】
この構成によれば、例えば、パーキングブレーキレバーを車体に取付ける際に各部品間で取付け位置にばらつきが生じたり、各部品に寸法誤差が生じていたりした場合であっても、取付け位置のばらつきや寸法誤差を前記ズレによって吸収することができる。このため、パーキングブレーキレバーの操作時にガイドパイプに発生する捻りモーメントを低減することができる。
【００２３】
つまり、この場合、各部品を所定の取付け位置に取付ける際の位置精度や各部品の寸法精度を極端に高める必要がないため、取付けを容易にできると共に、各部品の生産コストを低減することができる。
【００２４】
この発明の一実施態様においては、前記支持部は、前記車体フロア上面部から上方に離間して設けられるものである。
【００２５】
この構成によれば、パーキングブレーキレバーやケーブルのレイアウトの自由度を向上させることができる。そして、特に、側面視でフロア上面部の下方に配索されたケーブルの延長上に支持部を設けることで、ガイドパイプに掛かる反力を低減でき、さらなる軽量化及び低コスト化を実現できる。
【００２６】
また、この発明の自動車のレバー取付け構造は、車室前面部、車室側面部またはフロア上面部において、隣り合うようにずれて設定された第１取付け位置と第２取付け位置とに、ケーブルを操作するレバーを取付け可能にするものであって、前記第１取付け位置と第２取付け位置との間の中間部から離間した位置に、ケーブルをガイドするガイドパイプの一端部が、その取付け時において、車体側ブラケットにより軸中心で回動可能に支持され、前記ガイドパイプは、その他端部が軸中心の回動により前記第１取付け位置、第２取付け位置のいずれかに対応するガイド位置に配設可能となるよう屈曲形成され、前記レバー自体またはその近傍に、前記ガイドパイプの他端部を支持する支持部が設けられると共に、該ガイドパイプの近傍に機能スペースが設けられ、該機能スペースを避けるように前記ガイドパイプが屈曲形成されたものである。
【００２７】
この構成によれば、部品の増加を抑制しつつ、レバーを２つの任意の取付け位置に容易に取付けることができる。
【００２８】
そして、レバーの近傍に、ガイドパイプの前部を支持する支持部を設けたことにより、ガイドパイプの一端部、他端部は、それぞれ溶接固定されることなく、支持部、挿通ブラケットに支持されることになる。この場合、レバーの操作時にガイドパイプに掛かるケーブルの反力を一端部、他端部（具体的には、他端部の支持部と一端部の挿通ブラケット）に分散することができるため、挿通ブラケットを高強度にすることが不要となり、その結果、軽量化及び低コスト化を実現することができる。
【００２９】
さらに、機能スペースを避けるようにガイドパイプを屈曲形成することで、機能スペースをケーブルと干渉させることなくレバーの近傍に設けることができる。
【発明の効果】
【００３０】
この発明によれば、部品の増加を抑制しつつ、パーキングブレーキレバーを左右任意の取付け位置に容易に取付けることができ、さらには、軽量化及び低コスト化を実現することができる。
【００３１】
また、この発明によれば、部品の増加を抑制しつつ、レバーを隣り合うようにずれて設定された任意の取付け位置に容易に取付けることができ、さらには、軽量化及び低コスト化を実現し、機能スペースとの干渉を回避することができる。
【図面の簡単な説明】
【００３２】
【図１】本発明の実施形態に係る自動車のレバー取付け構造を示す平面図。
【図２】図１の斜視図。
【図３】図１の分解斜視図。
【図４】ガイドパイプの支持構造を示す断面図。
【図５】本発明の他の実施形態に係るガイドパイプの支持構造を示す断面図。
【発明を実施するための形態】
【００３３】
以下、図面に基づいて本発明の実施形態を詳述する。  
図１は、本発明の実施形態に係る自動車のレバー取付け構造を示す平面図であり、図２は、同斜視図、図３は、ガイドパイプの支持構造を示す断面図、図４は、分解斜視図である。
【００３４】
図１に示すように、自動車の車室床面を構成するフロア１には、車幅方向の中央部に位置で上方に突出するフロアトンネル２が形成されている。そして、フロアトンネル２の上面部には、車室前側の左右に配設された図示しない運転席、助手席の位置に対応して、センターコンソール３が配設されている。
【００３５】
センターコンソール３には、その上面部において、レバー操作用凹部３１と、レバー装着孔３２とが形成されると共に、機能スペース３４が配設されており、この機能スペース３４には、カップまたは飲料用ボトル等を所定位置に保持すべく前後に隣接して配置された筒状のカップホルダ３３が形成されている。
【００３６】
ここで、本実施形態に係る自動車は左ハンドル車であり、これに対応して、センターコンソール３の上面部には、左側部にレバー操作用凹部３１及びレバー装着孔３２が配設される一方、他方の右側部に機能スペース３４が配設されている。
【００３７】
センターコンソール３の上面部の右側部（機能スペース３４）では、上面部を表面から所定距離下方に凹むように形成することで、カップホルダ３３が一体形成されている。
【００３８】
一方、センターコンソール３の上面部の左側部では、上面部前側を表面から所定距離下方に凹むように形成することで、レバー操作用凹部３１が一体形成されており、さらに、上面部後側に前後方向に延びる長孔部を形成することで、レバー装着孔３２が形成されている。
【００３９】
そして、センターコンソール３の左側部には、上述したレバー操作用凹部３１及びレバー装着孔３２の位置に対応してパーキングブレーキレバー４（以下、単にレバー４と略記する。）が配置されている。
【００４０】
レバー４は、図１〜図３に示すように、一端部を車体に対して回動可能に支持されたレバー把持部４１と、レバー把持部４１の基部４２と、他端部に設けられたロック解除釦４３等から構成されている。センターコンソール３では、基部４２がレバー装着孔３２を貫通するように配設され、その上部が車室内に突出している。そして、レバー把持部４１が、基部４２から前方かつ上方に延びてレバー操作用凹部３１の上方に位置している。
【００４１】
また、センターコンソール３の内部空間には、図１〜図３に示すように、前後方向から見て略Ｌ字状をなす取付けブラケット５が配設されている。この取付けブラケット５は、レバー４を車体（フロアトンネル２）に取付けるためのブラケットであり、水平に延びる座面部５１がボルト・ナットからなる締結部材６によって車体（ここではフロアトンネル２の上面部）に締結固定される一方、座面部５１から直立する脚部５２がレバー４（レバー把持部４１及び基部４２）を回動自在に枢支している。
【００４２】
また、レバー４には、その回動操作により操作されるケーブル７が連結されており、基部４２の側面には、ケーブル７をガイドするためのケーブルガイド部材８が取付けられている。
【００４３】
ところで、本実施形態では、フロア１（フロアトンネル２）の上面部において、図１中実線で示す左ハンドル車用のレバー４を取付けるための第１取付け位置Ｐ１が設定されると共に、図１中二点鎖線で示す右ハンドル車用のレバー４′を取付けるための第２取付け位置Ｐ２が設定されており、これによって、右ハンドル車用、左ハンドル車用といった自動車の仕様に応じて、レバー４、４′を取付けることが可能となっている。
【００４４】
そして、フロア１（フロアトンネル２）の上面部には、第１取付け位置Ｐ１と第２取付け位置Ｐ２と間の車幅方向中間部から後方に離間した位置に、ケーブル７を挿通するためのケーブル挿通孔９が設けられている。
【００４５】
そして、ケーブル挿通孔９の近傍には、図１〜図４に示すような挿通ブラケット１０が配設されており、ボルト、ナットからなる締結部材１１、１１により車体（フロアトンネル２）に取付けられている。そして、この挿通ブラケット１０では、後述するガイドパイプ１２の後部が軸中心で回動可能に支持されている。
【００４６】
具体的には、図４に示すように、ガイドパイプ１２の後部の形状に対応する嵌合支持部１０ａが挿通ブラケット１０に形成されており、ガイドパイプ１２の後部がこの嵌合支持部１０ａに対して挿抜可能とされている。そして、嵌合支持部１０ａにガイドパイプ１２の後部を挿入嵌合することにより、ガイドパイプ１２は常時回動可能に支持されている。
【００４７】
一方、ガイドパイプ１２には、レバー４からケーブル挿通孔９にかけて前後方向に延びるケーブル７が挿通されている。そして、ガイドパイプ１２は、レバー４とケーブル挿通孔９との間の車幅方向のずれに対応してケーブル７を適切にガイドすべく、ケーブル挿通孔９から前方かつ左側に向かって平面視で略Ｓ字状に屈曲形成されている。
【００４８】
ここで、本実施形態では、レバー４の後部右側方近傍かつケーブル挿通孔９の前方に機能スペース３４（カップホルダ３３）が配設されており、ガイドパイプ１２が上述のようにＳ字状に屈曲形成されることで、これを機能スペース３４を避けるように配設することが可能になっている。
【００４９】
また、レバー４の近傍には、ガイドパイプ１２の前部を支持するガイド支持ブラケット１３が配設されている。このガイド支持ブラケット１３は、平面視で略コ字状をなしており、取付けブラケット５の座面部５１上に取付けられている。そして、ガイドブラケット１３には、フロアトンネル２の上面部から上方に離間した位置に嵌合凹部１３ａが形成されており、ガイドパイプ１２の前部は、この嵌合凹部１３ａとの嵌合によって、前後、上下、左右の少なくとも一方のズレを許容すべく嵌合支持されている。
【００５０】
本実施形態の場合、レバー４、ケーブル７を含むパーキングブレーキを車体に取付ける際には、取付けブラケット５及び挿通ブラケット１０をそれぞれ締結部材６、１１によってフロアトンネル２の上面部に締結する。そして、ガイドパイプ１２を図３中矢印で示すように、軸中心で左側に回動させ、その前部をガイド支持ブラケット１３の嵌合凹部１３ａに嵌合させることにより、第１取付け位置Ｐ１に対応するガイド位置（図１中破線で示す位置）にガイドパイプ１２を配設する。
【００５１】
このように、本実施形態では、左右にずれて設定された第１取付け位置Ｐ１と第２取付け位置Ｐ２とにレバー４、４′を取付け可能としたものにおいて、両取付け部Ｐ１、Ｐ２間の車幅方向中間部から後方に離間した位置にケーブル挿通孔９を設けると共に、ケーブル７をガイドするガイドパイプ１２の後部がレバー４の取付け時に軸中心で挿通ブラケット１０により回動可能に支持され、ガイドパイプ１２の回動によって、その前部が左右いずれかの取付け位置Ｐ１、Ｐ２に対応するガイド位置に配設できるように屈曲形成されている。これにより、部品の増加を抑制しつつ、レバー４、４′を左右任意の取付け位置に容易に取付けることができる。
【００５２】
そして、レバー４の近傍に、ガイドパイプ１２の前部を支持する嵌合凹部１３ａを設けたことにより、ガイドパイプ１２の前部、後部は、それぞれ溶接固定されることなく、嵌合凹部１３ａ、挿通ブラケット１０に支持されることになる。この場合、レバー４の操作時にガイドパイプ１２に掛かるケーブル７の反力を前後（具体的には、前部の嵌合凹部１３ａ（ガイド支持ブラケット１３）と後部の挿通ブラケット１０）に分散することができるため、挿通ブラケット１０を高強度にすることが不要となり、その結果、軽量化及び低コスト化を実現することができる。
【００５３】
また、センターコンソール３の上面部において、レバー４の後部側方近傍かつケーブル挿通孔９の前方に設けた機能スペース３４を避けるようにガイドパイプ１２を屈曲形成したことで、センターコンソール３の機能スペース３４をケーブル７と干渉させることなくレバー４の近傍に設けることができる。
【００５４】
また、ガイドパイプ１２の前部を、前後、上下、左右の少なくとも一方のズレを許容すべく嵌合支持する嵌合凹部１３ａを設けたことにより、例えば、レバー４を車体に取付ける際に各部品（ここでは、取付けブラケット５と挿通ブラケット１０）間で取付け位置にばらつきが生じたり、各部品に寸法誤差が生じていたりした場合であっても、取付け位置のばらつきや寸法誤差を前記ズレによって吸収することができる。このため、レバー４の操作時にガイドパイプ１２に発生する捻りモーメントを低減することができる。
【００５５】
つまり、この場合、各部品を所定の取付け位置に取付ける際の位置精度や各部品の寸法精度を極端に高める必要がないため、取付けを容易にできると共に、各部品の生産コストを低減することができる。
【００５６】
また、フロアトンネル２の上面部から上方に離間して嵌合凹部１３ａを設けたことにより、レバー４やケーブル７のレイアウトの自由度を向上させることができる。そして、特に、側面視でフロアトンネル２の下方に配索されたケーブル７の延長上に嵌合凹部１３ａを設けることで、ガイドパイプ１２に掛かる反力を低減でき、さらなる軽量化及び低コスト化を実現できる。そして、本実施形態のように、機能スペース３４を設けた場合には、ガイドパイプ１２と干渉することなく機能スペース３４（ここでは、カップホルダ３３）を上下方向に深く設定することができる。
【００５７】
図５は、本発明に係る自動車のレバー取付け構造の他の実施形態を示し、図５は、ガイドパイプの支持構造を示す断面図である。なお、図５において、図１〜図４に示す先の実施形態と同様の構成要素については、同一の符号を付して説明を省略する。
【００５８】
本実施形態では、図５に示すように、挿通ブラケット１０の嵌合支持部１０ａの底面周縁部に、断面半円状の嵌合凹部１０ｂが形成される一方、ガイドパイプ１２の後端周縁部には、嵌合凹部１０ｂに対応して、これと嵌合可能な断面半円状の嵌合凸部１２ａが形成されている。そして、これら嵌合凹部１０ｂと嵌合凸部１２ａとの嵌合により、先の実施形態と同様、ガイドパイプ１２の後部が軸中心で常時回動可能に支持されている。
【００５９】
このように、挿通ブラケット１０、ガイドパイプ１２にそれぞれ嵌合凹部１０ｂ、嵌合凸部１２ａを設けることにより、車体への取付けの際、挿通ブラケット１０とガイドパイプ１２とを予め一体化することができる。このため、車体への取付けを容易にすることができる。
【００６０】
また、この場合、嵌合凹部１０ｂと嵌合凸部１２ａとの間に、両者の嵌合が外れない程度の隙間（いわゆる遊び）を形成すれば、先の実施形態と同様、前後、上下、左右の少なくとも一方のズレを許容すべくガイドパイプ１２の前部を嵌合支持することができる。
【００６１】
ところで、上述した各実施形態では、ガイドパイプ１２の後部を常時回動可能に支持することとしているが、本発明では、少なくとも、車体への取付け時に回動可能に支持されていればよい。このため、例えば、車体への取付け後、嵌合支持部１０ａをかしめたり、溶接固定したりすることによって、ガイドパイプ１２の後部を固定してもよい。
【００６２】
また、ガイドパイプ１２の前部を嵌合支持する支持部（ガイド支持ブラケット１３）を別途設けることに必ずしも限定されず、例えば、レバー４自体に支持部を設けてもよい。
【００６３】
また、ガイド支持ブラケット１３について、上述した各実施形態では、嵌合凹部１３ａの形状が、上方に開口した形状となっているが、本発明は、必ずしも限定されず、ケーブル７を操作した時の反力によってガイドパイプ１２が外れない方向であれば、下方や左右等他の方向に開口していてもよい。
【００６４】
また、本発明は、パーキングブレーキ用のレバー４、４′に必ずしも限定されず、少なくとも、車室前面部、車室側面部またはフロア上面部において、隣り合うようにずれて設定された第１取付け位置と第２取付け位置とに、ケーブルを操作するレバーを取付け可能にするものであればよい。この場合であっても、先の実施形態と同様、部品の増加を抑制しつつ、レバーを２つの任意の取付け位置に容易に取付けることができる。そして、レバーの操作時にガイドパイプに掛かるケーブルの反力をガイドパイプの一端部、他端部に分散することができるため、軽量化及び低コスト化を実現することができる。
【００６５】
さらに、この場合、前記ガイドパイプの近傍に機能スペースを設け、該機能スペースを避けるように前記ガイドパイプを屈曲形成することで、機能スペースをケーブルと干渉させることなくレバーの近傍に設けることができる。
【００６６】
なお、上述した実施形態では、機能スペース３４にカップホルダ３３を形成することとしたが、必ずしもこれに限定されるものではなく、例えば、小物入れや灰皿等であってもよい。また、機能スペース３４に各種補機を配設してもよく、例えば、車載電装機器を操作するための各種コントローラや、携帯機器を接続するための端子、ディスプレイ、スピーカ、照明機器、シガーソケット等を配設してもよい。
【００６７】
この発明の、フロア上面部は、フロアトンネル２の上面部に対応し、
以下同様に、
支持部及び嵌合支持部は、嵌合凹部１３ａに対応するも、
この発明は、上述の実施形態の構成のみに限定されるものではなく、多くの実施の形態を得ることができる。
【符号の説明】
【００６８】
２…フロアトンネル
３…センターコンソール
４…パーキングブレーキレバー
７…ケーブル
９…ケーブル挿通孔
１０…挿通ブラケット
１２…ガイドパイプ
１３ａ…嵌合凹部
３４…機能スペース
Ｐ１…第１取付け位置
Ｐ２…第２取付け位置
【図１】
0005857877.tif 000002
【図２】
0005857877.tif 000003
【図３】
0005857877.tif 000004
【図４】
0005857877.tif 000005
【図５】
0005857877.tif 000006